(57)【要約】      （修正有）【課題】今迄１回しか使用できなかった刃先等消耗品を３回使用できるようにし、作業効率の向上、採算性の向上を図る取付溝を提供する。【解決手段】刃先等消耗品のボルト取付穴を凸型溝とし３回使えるようにした。又凸型溝にスライドするだけで固定できる為、経済性、作業効率の向上が可能となった。本取付溝使用により３回の使用が可能になり、又交換時間の短縮も図ることができ作業効率及び経済性が向上した。【選択図】図１
0003161223.tif 000002
【実用新案登録請求の範囲】
【請求項１】
ボルト固定式刃先等消耗品に  凸型取付溝を入れ３回使えるようにした  スーパー取付溝
【考案の詳細な説明】
【技術分野】
【０００１】この考案は  金属片を固定する為の取付溝であり機械工学に関するものである。
【背景技術】
【０００２】従来の取付溝は単一穴  溝穴で構正され上下で挟み込む刃先等消耗品は１回の使用しかできなかった。
【先行技術文献】
【特許文献】
【０００３】無し
【考案の概要】
【考案が解決しようとする課題】
【０００４】従来の取付溝は単一穴  溝穴で構正され１回の使用しかできない為  刃先等消耗品の場合１回の使用で廃棄され経済的に悪い欠点がある。
【課題を解決するための手段】
【０００５】従来の取付溝は単一穴  溝穴で構正され１回の使用しかできない為採算性が悪いので  刃先等消耗品に取付溝として凸型の切込を入れ  １回目凸型の中心を使い２回目は右側３回目は左側とし３回使えるようにした。又凸型取付溝左右の高を変える事で３回使用可能となる。【０００６】従来の取付溝は  固定ボルトを完全にはずし交換していた為  交換に用する作業時間がかかり作業効率の低下をひきおこしていた  凸型取付溝にすることによりボルトを緩めスライドさせ  ボルトを締めることで固定できるので  作業効率の向上が図れる。【０００７】本考案は  上記門題点を改良すべく取付溝として凸型の切込を入れ  ボルトを緩めスライドさせるだけで今迄１回しか使用できなかった刃先等消耗品を３回使用できるようにし作業効率の向上  採算性の向上を図ることができるようにした考案である。
【考案の効果】
【０００８】従来の取付溝は単一穴  溝穴で構正され１回の使用しかできなかったが  本考案スーパー取付溝使用により３回の使用が可能になり  又交換時間の短縮も図ることができ作業効率及び経済性が向上した。
【図面の簡単な説明】
【０００９】
【図１】本考案によるスーパー取付溝実施の形態を示す側面図
【図２】本考案によるスーパー取付溝の平面図
【図３】本考案によるスーパー取付溝の詳細図
【考案を実施するための形態】
【００１０】図１は本考案スーパー取付溝実施の形態を示す側面図．図２は本考案スーパー取付溝の平面図であり図３はスーパー取付溝の左右の高さを変えた詳細図である。
【００１１】図３の詳細図のように最初は取付溝Ａ部分を使用し２回目はＢ部分３回目はＣ部分と  ボルトを緩め刃先等消耗品をスライドさせボルトを締める事で３回使用できる。
【実施例】
【００１２】従来の取付溝は単一穴  溝穴で構正され１回の使用しかできなかったが  本考案スーパー取付溝の使用により刃先等消耗品がこれまでの３倍使え  経済性  作業効率の向上を図る事が出来る。
【産業上の利用可能性】
【符号の説明】１．刃先等消耗品    ２．取付ボルト
３．スーパー取付溝  ４．台座
５．留板
【図１】
0003161223.tif 000003
【図２】
0003161223.tif 000004
【図３】
0003161223.tif 000005
【手続補正書】
【提出日】平成21年12月29日(2009.12.29)
【手続補正１】
【補正対象書類名】実用新案登録請求の範囲
【補正対象項目名】全文
【補正方法】変更
【補正の内容】
【実用新案登録請求の範囲】
【請求項１】
ボルト固定式刃先に凸型取付溝を入れ  ３回使える取付溝を有するボルト固定式刃先。
【手続補正２】
【補正対象書類名】明細書
【補正対象項目名】０００２
【補正方法】変更
【補正の内容】
【０００２】従来の固定式刃先取付溝は単一穴．溝穴で構成され１回の使用しかできなかった。
【手続補正３】
【補正対象書類名】明細書
【補正対象項目名】０００４
【補正方法】変更
【補正の内容】
【０００４】従来の固定式刃先取付溝は単一穴  溝穴で構成され１回の使用で廃棄され  経済的に悪い欠点がある。
【手続補正４】
【補正対象書類名】明細書
【補正対象項目名】０００５
【補正方法】変更
【補正の内容】
【０００５】従来の固定式刃先取付溝は単一穴  溝穴で構成され１回の使用しかできない為  採算性が悪いのでボルト取付溝として凸型の切込みを入れ  １回目凸型の中心を使い  ２回目は右側３回目は左側とし３回使えるようにした。凸型取付溝左右の高さを変える事で３回使用可能となる。
【手続補正５】
【補正対象書類名】明細書
【補正対象項目名】０００７
【補正方法】変更
【補正の内容】
【０００７】本考案は上記門題点を改良すべく  凸型の切込を入れ  ボルトを緩めスライドさせるだけで  今迄１回しか使用できなかった刃先を  ３回使用できるようにし  作業効率の向上  採算性の向上を図ることができるようにした考案である。
【手続補正６】
【補正対象書類名】明細書
【補正対象項目名】０００８
【補正方法】変更
【補正の内容】
【０００８】従来の取付溝は単一穴  溝穴で構成され１回の使用しかできなかったが  本考案３回使える取付溝を有するボルト固定式刃先使用により  ３回の使用が可能になり又交換時間の短縮も図ることができ作業効率及び経済性が向上した。
【手続補正７】
【補正対象書類名】明細書
【補正対象項目名】０００９
【補正方法】変更
【補正の内容】
【０００９】
【図１】本考案による３回使える取付溝を有するボルト固定式刃先実施の形態を示す側面図
【図２】本考案による３回使える取付溝を有するボルト固定式刃先の平面図
【図３】本考案による３回使える取付溝を有するボルト固定式刃先の詳細図
【手続補正８】
【補正対象書類名】明細書
【補正対象項目名】００１０
【補正方法】変更
【補正の内容】
【００１０】図１は本考案３回使える取付溝を有するボルト固定式刃先実施の形態を示す側面図．図２は本考案３回使える取付溝を有するボルト固定式刃先の平面図であり．図３は凸型取付溝の左右の高さを変えた詳細図である。
【手続補正９】
【補正対象書類名】明細書
【補正対象項目名】００１１
【補正方法】変更
【補正の内容】
【００１１】図３の詳細図のように最初は取付溝Ａ部分を使用し２回目はＢ部分３回目はＣ部分と  ボルトを緩め刃先をスライドさせ  ボルトを締める事で３回使用できる。
【手続補正１０】
【補正対象書類名】明細書
【補正対象項目名】００１２
【補正方法】変更
【補正の内容】
【００１２】従来の取付溝は単一穴  溝穴で構成され１回の使用しかできなかったが  本考案３回使える取付溝を有するボルト固定式刃先  使用により３回の使用が可能になり又交換時間の短縮  作業効率及び経済性の向上を図ることができる。
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
ボルト固定式刃先上部に  取付ボルト３倍の大きさの溝を切り  その中心部に取付ボルトの大きさで１段深く切込みを入れた凸型取付溝を有するボルト固定式刃先
【手続補正２】
【補正対象書類名】明細書
【補正対象項目名】０００２
【補正方法】変更
【補正の内容】
【０００２】従来の固定式刃先取付溝は単一穴．溝穴で構成され  刃先は使えるのにボルト取付穴が１ヶ所しかなく１回の使用しかできなかった。
【手続補正３】
【補正対象書類名】明細書
【補正対象項目名】０００４
【補正方法】変更
【補正の内容】
【０００４】従来の固定式刃先取付溝は単一穴．溝穴で構成され刃先はまだ使えるのに  １回の使用で廃棄され経済的に悪い欠点があった
【手続補正４】
【補正対象書類名】明細書
【補正対象項目名】００５
【補正方法】変更
【補正の内容】
【０００５】従来の固定式刃先取付溝は単一穴．溝穴で構成され１回の使用しかできない為  採算性が悪くボルト取付溝として凸型の切込みを入れ  １回目凸型の中心を使い  ２回目は右側  ３回目は左側とし凸型取付溝左右の高さを変える事で３回使用可能となる。
【手続補正５】
【補正対象書類名】明細書
【補正対象項目名】０００７
【補正方法】変更
【補正の内容】
【０００７】本考案は上記門題点を改良すべく凸型の取付溝を入れ締付ボルトを緩めスライドさせるだけで今迄１回しか使用できなかった刃先を３回使用できるようにし  作業効率の向上  採算性の向上を図ることができるようにした考案である。
【手続補正６】
【補正対象書類名】明細書
【補正対象項目名】０００８
【補正方法】変更
【補正の内容】
【０００８】従来の取付溝は単一穴．溝穴で構成され１回の使用しかできなかったが  本考案凸型取付溝を有するボルト固定式刃先使用により３回の使用が可能になり又交換時間の短縮も図ることができ作業効率及び経済性が向上した。